(57)【特許請求の範囲】
【請求項１】
インクジェット記録装置及びこの装置に用いるインクカートリッジの液体流路の洗浄液兼充填液であって、下記構造式（１）で示されるアミド化合物の少なくとも１種を合計量で１０．０〜４５．０質量％含有し、かつ下記構造式（２）−１〜（２）−８で示されるものから選ばれた少なくとも１種のフッ素系界面活性剤を合計量で１．０〜５．０質量％含有することを特徴とする洗浄液兼充填液。
＜構造式（１）＞
【化６】
0005957889.tif 000032
（式中、Ｒは炭素数１〜４のアルキル基を表す。）
＜構造式（２）−１＞
【化７】
0005957889.tif 000033
（式中、Ｒ１、Ｒ３は水素、炭素数１〜６のアルキル基又は炭素数１〜６のパーフルオロアルキル基を表し、Ｒ２、Ｒ４は炭素数１〜６のパーフルオロアルキル基を表す。ｍ、ｎは０又は正の整数、ｐ、ｑ及びｒは正の整数を表す。）
＜構造式（２）−２＞
【化８】
0005957889.tif 000034
（式中、Ｍはアルカリ金属、アンモニウム、ホスホニウム、又はアルカノールアミンを表し、Ｒｆは−ＣＦ３、又は−ＣＦ２ＣＦ３を表し、ｑは４〜１０の整数を表す。）
＜構造式（２）−３＞
【化９】
0005957889.tif 000035
（式中、Ｒ１は水素、炭素数１〜６のアルコキシ基、又は炭素数１〜６のパーフルオロアルキル基を表し、Ｒｆは炭素数１〜６のパーフルオロアルキル基を表す。ｘ、ｙ、ｚは正の整数を表す。）
＜構造式（２）−４＞
ＣｎＦ２ｎ＋１−ＣＨ２ＣＨ（ＯＨ）ＣＨ２Ｏ（ＣＨ２ＣＨ２Ｏ）ａ−Ｙ
〔式中、Ｙは−ＣｂＨ２ｂ＋１（ｂは１１〜１９の整数）、又は−ＣＨ２ＣＨ（ＯＨ）ＣＨ２−ＣｄＦ２ｄ＋１（ｄは２〜６の整数）を表し、ｎは２〜６の整数、ａは１５〜５０の整数を表す。〕
＜構造式（２）−５＞
【化１０】
0005957889.tif 000036
（式中、Ｍ＋はＬｉ＋、Ｎａ＋、Ｋ＋、ＮＨ４＋のいずれかを表す。）
＜構造式（２）−６＞
〔（ＲｆＳＯ２）２〕Ｎ−Ｍ＋
（式中、Ｒｆは炭素数１〜４のパーフルオロアルキル基を表し、Ｍ＋はＬｉ＋、Ｎａ＋、Ｋ＋、ＮＨ４＋のいずれかを表す。）
＜構造式（２）−７＞
〔（ＲｆＳＯ２）（ＲＳＯ２）〕Ｎ−Ｍ＋
（式中、Ｒｆは炭素数１〜４のパーフルオロアルキル基を表し、Ｒは炭素数１〜１０のアルキル基を表し、Ｍ＋はＬｉ＋、Ｎａ＋、Ｋ＋、ＮＨ４＋のいずれかを表す。）
＜構造式（２）−８＞
〔（ＦＳＯ２）２〕Ｎ−Ｍ＋
（式中、Ｍ＋はＬｉ＋、Ｎａ＋、Ｋ＋、ＮＨ４＋のいずれかを表す。）
【請求項２】
前記構造式（２）−４で示される化合物が、次の（ａ）〜（ｅ）のいずれかであることを特徴とする請求項１に記載のインクジェット記録装置用洗浄液兼充填液。
（ａ）Ｃ４Ｆ９−ＣＨ２ＣＨ（ＯＨ）ＣＨ２Ｏ−（ＣＨ２ＣＨ２Ｏ）２１−Ｃ１８Ｈ３７
（ｂ）Ｃ２Ｆ５−ＣＨ２ＣＨ（ＯＨ）ＣＨ２Ｏ−（ＣＨ２ＣＨ２Ｏ）２５−Ｃ１２Ｈ２５
（ｃ）Ｃ４Ｆ９−ＣＨ２ＣＨ（ＯＨ）ＣＨ２Ｏ−（ＣＨ２ＣＨ２Ｏ）２３−ＣＨ２ＣＨ（ＯＨ）ＣＨ２−Ｃ４Ｆ９
（ｄ）Ｃ４Ｆ９−ＣＨ２ＣＨ（ＯＨ）ＣＨ２Ｏ−（ＣＨ２ＣＨ２Ｏ）３５−ＣＨ２ＣＨ（ＯＨ）ＣＨ２−Ｃ４Ｆ９
（ｅ）Ｃ２Ｆ５−ＣＨ２ＣＨ（ＯＨ）ＣＨ２Ｏ−（ＣＨ２ＣＨ２Ｏ）４５−ＣＨ２ＣＨ（ＯＨ）ＣＨ２−Ｃ２Ｆ５
【請求項３】
更にグリセリン及び／又は１，３−ブタンジオールを含有することを特徴とする請求項１又は２に記載の洗浄液兼充填液。
【請求項４】
請求項１〜３の何れかに記載の洗浄液兼充填液を容器中に収容したことを特徴とするカートリッジ。
【請求項５】
請求項１〜３の何れかに記載の洗浄液兼充填液を通液してインク流路を洗浄した後、該洗浄液兼充填液を充填して保管することを特徴とするインクジェット記録装置の洗浄、充填、保管方法。
【発明の詳細な説明】
【技術分野】
【０００１】
本発明はインクジェット記録装置及びこの装置に用いるインクカートリッジの液体流路を洗浄するための洗浄液兼充填液、該洗浄液兼充填液を充填したカートリッジ、該洗浄液兼充填液を用いたインクジェット記録装置の洗浄、充填、保管方法、並びに、この方法で洗浄、充填、保管されたインクジェット記録装置に関する。
に関する。
インクカートリッジにもインク貯蔵部からインク供給口までのインク通液部などの液体流路があり、インクカートリッジを再利用するときなどには、これらの液体流路を洗浄する必要が生じる。
【背景技術】
【０００２】
インクジェット記録装置のインク吐出ヘッドは、直径５０μｍ以下の微細なオリフィスを持つノズル部や、それにつながる圧力発生部、液室部、フィルター部等から構成され、非常に高精度に加工されており、また、１ヘッドあたりのノズル数も多く、製品として出荷する前に全体が正常に動作し、吐出不良が起こっていないことを確かめるために、色材を含有する検査インクなどを充填し、不具合を検知している。これら検査に使用したインクが輸送時にインク漏れを起こして問題とならないよう、また、ユーザーの元でインクが充填されるまでの間、検査インク中の色材が凝集して目詰まりを起こすなどの問題を生じさせないためにも、検査後はインクジェット記録装置内のインクを洗い流すことが必要となる。
インクを洗い流すための洗浄液として、従来は、主溶媒（たとえば水）、界面活性剤、保湿剤などを含有させた固形分を含まない溶液が用いられてきた（特許文献１参照）。
これらの洗浄液を用いると、吐出液体中の固形分が残留してノズル内を塞ぐことはなく目詰まりは起こりにくいが、微量残留物がノズル内壁、吐出口などに付着残留して起こる吐出液体の曲がりなどの吐出不良は十分に解決できていない。
また、ノズル内に付着した残留物を除去するためのメンテナンス液、クリーニング液なども提案されているが（特許文献２参照）、ノズル内残留物を完全に除去するのは難しいのが実情である。
【０００３】
特に最近では、高解像度の画像やパターニング精度が求められ、従来よりも吐出液体の曲がりへの許容度が減っており、より精度の高い吐出性が求められている。さらに、インクには種々の固形分が含有されるようになり、ますます液体流路、特にノズル内をきれいに洗浄することや、少なくとも、その後の使用でインク吐出に影響しない程度に洗浄することが難しいのが現状である。
このような状況下、従来の洗浄液兼充填液では、洗浄性が不十分であったり、また洗浄性を確保できても、インクの充填性が悪くて吐出不良を起こしたり、ヘッド内に用いている接着剤を膨潤させてヘッドの強度低下を招き吐出安定性が得られなかったり、インクが充填されるまでの保管期間にインク流路の金属部を腐食したりするなどの問題があった。
一方、特許文献３にはＮ，Ｎ−ジメチル−β−メトキシプロピオンアミドと水を含み、更には界面活性剤を含む洗浄剤組成物が開示されている。しかし該洗浄液は精密機械部品又は電気・電子部品の洗浄剤として開発されたものであって、インクジェット記録装置の洗浄に用いると、装置内に残存するインク成分を凝集させたり、界面活性剤の種類によっては洗浄性が劣ったり、洗浄液自体が泡立つなどの問題を起こすことがあるため使用できない。
【発明の開示】
【発明が解決しようとする課題】
【０００４】
本発明は、インクジェット記録装置及びこの装置に用いるインクカートリッジの液体流路の洗浄液兼充填液であって、インク流路の洗浄を十分に行うことができる洗浄液の機能と、印字検査に用いたインクの洗浄残渣の凝集を防ぎ、インク流路部材への侵食もなく、インクの充填時に問題を起こさない充填液としての機能を持つ洗浄液兼充填液、該洗浄液兼充填液を充填したカートリッジ、該洗浄液兼充填液を用いたインクジェット記録装置の洗浄、充填、保管方法、並びに、この方法で洗浄、充填、保管されたインクジェット記録装置の提供を目的とする。
【課題を解決するための手段】
【０００５】
上記課題は、次の１）〜５）の発明によって解決される。
１）  インクジェット記録装置及びこの装置に用いるインクカートリッジの液体流路の洗浄液兼充填液であって、下記構造式（１）で示されるアミド化合物の少なくとも１種を合計量で１０．０〜４５．０質量％含有し、かつ下記構造式（２）−１〜（２）−８で示されるものから選ばれた少なくとも１種のフッ素系界面活性剤を合計量で１．０〜５．０質量％含有することを特徴とする洗浄液兼充填液。
＜構造式（１）＞
【化１】
0005957889.tif 000002
（式中、Ｒは炭素数１〜４のアルキル基を表す。）
＜構造式（２）−１＞
【化２】
0005957889.tif 000003
（式中、Ｒ１、Ｒ３は水素、炭素数１〜６のアルキル基又は炭素数１〜６のパーフルオロアルキル基を表し、Ｒ２、Ｒ４は炭素数１〜６のパーフルオロアルキル基を表す。ｍ、ｎは０又は正の整数、ｐ、ｑ及びｒは正の整数を表す。）
＜構造式（２）−２＞
【化３】
0005957889.tif 000004
（式中、Ｍはアルカリ金属、アンモニウム、ホスホニウム、又はアルカノールアミンを表し、Ｒｆは−ＣＦ３、又は−ＣＦ２ＣＦ３を表し、ｑは４〜１０の整数を表す。）
＜構造式（２）−３＞
【化４】
0005957889.tif 000005
（式中、Ｒ１は水素、炭素数１〜６のアルコキシ基、又は炭素数１〜６のパーフルオロアルキル基を表し、Ｒｆは炭素数１〜６のパーフルオロアルキル基を表す。ｘ、ｙ、ｚは正の整数を表す。）
＜構造式（２）−４＞
ＣｎＦ２ｎ＋１−ＣＨ２ＣＨ（ＯＨ）ＣＨ２Ｏ（ＣＨ２ＣＨ２Ｏ）ａ−Ｙ
〔式中、Ｙは−ＣｂＨ２ｂ＋１（ｂは１１〜１９の整数）、又は−ＣＨ２ＣＨ（ＯＨ）ＣＨ２−ＣｄＦ２ｄ＋１（ｄは２〜６の整数）を表し、ｎは２〜６の整数、ａは１５〜５０の整数を表す。〕
＜構造式（２）−５＞
【化５】
0005957889.tif 000006
（式中、Ｍ＋はＬｉ＋、Ｎａ＋、Ｋ＋、ＮＨ４＋のいずれかを表す。）
＜構造式（２）−６＞
〔（ＲｆＳＯ２）２〕Ｎ−Ｍ＋
（式中、Ｒｆは炭素数１〜４のパーフルオロアルキル基を表し、Ｍ＋はＬｉ＋、Ｎａ＋、Ｋ＋、ＮＨ４＋のいずれかを表す。）
＜構造式（２）−７＞
〔（ＲｆＳＯ２）（ＲＳＯ２）〕Ｎ−Ｍ＋
（式中、Ｒｆは炭素数１〜４のパーフルオロアルキル基を表し、Ｒは炭素数１〜１０のアルキル基を表し、Ｍ＋はＬｉ＋、Ｎａ＋、Ｋ＋、ＮＨ４＋のいずれかを表す。）
＜構造式（２）−８＞
〔（ＦＳＯ２）２〕Ｎ−Ｍ＋
（式中、Ｍ＋はＬｉ＋、Ｎａ＋、Ｋ＋、ＮＨ４＋のいずれかを表す。）
２）  前記構造式（２）−４で示される化合物が、次の（ａ）〜（ｅ）のいずれかであることを特徴とする１）に記載のインクジェット記録装置用洗浄液兼充填液。
（ａ）Ｃ４Ｆ９−ＣＨ２ＣＨ（ＯＨ）ＣＨ２Ｏ−（ＣＨ２ＣＨ２Ｏ）２１−Ｃ１８Ｈ３７
（ｂ）Ｃ２Ｆ５−ＣＨ２ＣＨ（ＯＨ）ＣＨ２Ｏ−（ＣＨ２ＣＨ２Ｏ）２５−Ｃ１２Ｈ２５
（ｃ）Ｃ４Ｆ９−ＣＨ２ＣＨ（ＯＨ）ＣＨ２Ｏ−（ＣＨ２ＣＨ２Ｏ）２３−ＣＨ２ＣＨ（ＯＨ）ＣＨ２−Ｃ４Ｆ９
（ｄ）Ｃ４Ｆ９−ＣＨ２ＣＨ（ＯＨ）ＣＨ２Ｏ−（ＣＨ２ＣＨ２Ｏ）３５−ＣＨ２ＣＨ（ＯＨ）ＣＨ２−Ｃ４Ｆ９
（ｅ）Ｃ２Ｆ５−ＣＨ２ＣＨ（ＯＨ）ＣＨ２Ｏ−（ＣＨ２ＣＨ２Ｏ）４５−ＣＨ２ＣＨ（ＯＨ）ＣＨ２−Ｃ２Ｆ５
３）  更にグリセリン及び／又は１，３−ブタンジオールを含有することを特徴とする１）又は２）に記載の洗浄液兼充填液。
４）  １）〜３）の何れかに記載の洗浄液兼充填液を容器中に収容したことを特徴とするカートリッジ。
５）  １）〜３）の何れかに記載の洗浄液兼充填液を通液してインク流路を洗浄した後、該洗浄液兼充填液を充填して保管することを特徴とするインクジェット記録装置の洗浄、充填、保管方法。
【発明の効果】
【０００６】
本発明によれば、インクジェット記録装置及びこの装置に用いるインクカートリッジの液体流路の洗浄液兼充填液であって、液体流路の洗浄を十分に行うことができる洗浄液の機能と、印字検査に用いたインクの洗浄残渣の凝集を防ぎ、液体流路部材への侵食もなく、インクの充填時に問題を起こさない充填液としての機能を持つ洗浄液兼充填液、該洗浄液兼充填液を充填したカートリッジ、該洗浄液兼充填液を用いたインクジェット記録装置の洗浄、充填、保管方法、並びに、この方法で洗浄、充填、保管されたインクジェット記録装置を提供できる。
【図面の簡単な説明】
【０００７】
【図１】インクジェット記録装置のインクカートリッジ装填部のカバーを開いた状態の斜視説明図である。
【図２】インクジェット記録装置の全体構成を説明する概略構成図である。
【図３】インクジェットヘッドの一例の概略拡大図である。
【図４】インクジェットヘッドの一例の要部拡大図である。
【図５】インクジェットヘッドの一例の要部拡大断面図である。
【発明を実施するための形態】
【０００８】
以下、上記本発明について詳しく説明する。
本発明の洗浄液兼充填液は前記構造式（１）で示されるアミド化合物の少なくとも１種とフッ素系界面活性剤を含有することを特徴とする。
上記アミド化合物は、平衡水分量の高い水溶性溶剤と比較的疎水性の有機溶剤を均一に混合させる機能を有し、印字検査に用いたインクと洗浄液兼充填液が混ざりやすくなるため洗浄性が向上する。また、洗浄残渣の凝集を防ぎ、インク充填時には洗浄液兼充填液とインクが速やかに混ざり、凝集すること無くインクの充填が行える。また、高沸点かつ平衡水分量も高いため保湿力が高く、耐乾燥性を上げることができるので洗浄液としてだけでなく充填液としても使用可能となる。中でも炭素数が少ないものほど平衡水分量が高いため保湿力が高く、炭素数が多いものほど溶解性に優れるため洗浄性が高い。したがって炭素数が少ないものと炭素数が多いものを併用することが好ましい。
前記アミド化合物の添加量は、１０．０〜４５．０質量％とする。１０．０質量％未満では、均一に混合させる効果が十分に確保できず、４５．０質量％を超えると液体流路部材などを侵食するため、吐出等に悪影響を与える。
【０００９】
フッ素系界面活性剤は、液の表面張力を下げることにより洗浄性を上げたり、洗浄液兼充填液の混合安定性を上げたり、洗浄後のインクの充填性を上げるために加える。中でも前記構造式（２）−１〜（２）−８で示されるフッ素系界面活性剤が好ましく、特に構造式（２）−４のフッ素系界面活性剤としては前記（ａ）〜（ｅ）のいずれかが好ましい。
また、これらの界面活性剤は液の表面張力を低下させる能力が高く洗浄性能に優れる上に、低起泡性であり、チューブやヘッド内に泡が残ってノズル抜けの発生を引き起こすことが無い。更に、これらの界面活性剤は水に溶解しにくいが、前記アミド化合物と混合することにより相溶性が向上し、液の保存性が向上する。界面活性剤の相溶性が悪いとチューブやヘッド内に界面活性剤が残存してインクとの混合安定性が悪化することがあるが、このような問題も解決できる。
フッ素系界面活性剤の添加量は１．０〜５．０質量％とする。この範囲であれば表面張力を下げる効果が十分に得られるし、乾燥時に凝集を招いたり、液体流路部材を膨潤させたりすることはない。
フッ素系界面活性剤以外の界面活性剤を併用することもでき、例えばアニオン界面活性剤、カチオン界面活性剤、ノニオン界面活性剤、両性界面活性剤などが挙げられる。
【００１０】
アニオン界面活性剤としては、アルキルアリル又はアルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等がある。
【００１１】
カチオン界面活性剤としては、アルキルアミン塩、ジアルキルアミン塩、脂肪族アミン塩、ベンザルコニウム塩、第４級アンモニウム塩、アルキルピリジニウム塩、イミダゾリニウム塩、スルホニウム塩、ホスホニウム塩等がある。
ノニオン界面活性剤としては、ポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等がある。
両性界面活性剤としては、イミダゾリニウムベタイン等のイミダゾリン誘導体、ジメチルアルキルラウリルベタイン、アルキルグリシン、アルキルジ（アミノエチル）グリシン等がある。
【００１２】
本発明の洗浄液兼充填液は、前記アミド化合物及び界面活性剤の他に、溶媒、保湿剤、その他の添加剤等を含有する。インクと共通な構成成分で固形分を含まないものが用いられることが多いが、特に限定されるものではない。ただし、流路内での洗浄液兼充填液の乾燥防止や発泡防止のため保湿剤を含有させることが好ましい。
【００１３】
溶媒としては水が中心であるが、水溶性有機溶媒などを混合して用いることもできる。平衡水分量の高い水溶性有機溶剤を加えると、水分蒸発が抑えられ、より乾燥に強くなり充填液としての保管性が向上するので好ましい。
水溶性有機溶媒としては、エチレングリコール、ジエチレングリコール、トリエチレングリコール、ポリエチレングリコール、ポリプロピレングリコール、１，５−ペンタンジオール、１，６−へキサンジオール、グリセリン、１，２，６−へキサントリオール、１，２，４−ブタントリオール、１，２，３−ブタントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類、Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；プロピレンカーボネート、炭酸エチレン、γ−ブチロラクトン等が挙げられる。
【００１４】
保湿剤は主に流路内での洗浄液兼充填液の乾燥を防いだり発泡を防ぐなどの目的で含有させる。このような保湿剤としては水溶性多価アルコールが好ましく、例えばエチレングリコール、ジエチレングリコール、トリエチレングリコール、ポリエチレングリコール、ポリプロピレングリコール、１，５−ペンタンジオール、１，６−へキサンジオール、２−エチル−１，３−ヘキサンジオール、１，３−ブタンジオール、３−メチル−１，３−ブタンジオール、グリセリン、１，２，６−へキサントリオール、１，２，４−ブタントリオール、１，２，３−ブタントリオール、ペトリオール等が挙げられる。中でも２３℃、湿度８０％における平衡水分量が３０質量％以上であるものが好ましく、グリセリン、１，３−ブタンジオールがこれに該当する。
水溶性多価アルコール以外の保湿剤として、含窒素炭化水素溶媒、含硫黄炭化水素溶媒などを併用してもよい。
【００１５】
その他の添加剤としては、ｐＨ調整剤、防腐防黴剤等が挙げられる。
ｐＨ調整剤としては、水酸化リチウム、水酸化ナトリウム、水酸化カリウム等のアルカリ金属元素の水酸化物；炭酸リチウム、炭酸ナトリウム、炭酸カリウム等のアルカリ金属の炭酸塩；第４級アンモニウム水酸化物やジエタノールアミン、トリエタノ−ルアミン等のアミン；水酸化アンモニウム、第４級ホスホニウム水酸化物等が挙げられる。
防腐防黴剤としては、１，２−ベンズイソチアゾリン−３−オン、安息香酸ナトリウム、デヒドロ酢酸ナトリウム、ソルビン酸ナトリウム、ぺンタクロロフェノールナトリウム、２−ピリジンチオール−１−オキサイドナトリウム等が挙げられる。
【００１６】
次に、本発明の洗浄液兼充填液が適用可能なインクジェット記録装置の一例について説明する。
図１に示すインクジェット記録装置は、装置本体（１０１）と、装置本体（１０１）に装着した用紙を装填するための給紙トレイ（１０２）と、装置本体（１０１）に装着され画像が記録（形成）された用紙をストックするための排紙トレイ（１０３）と、インクカートリッジ装填部（１０４）とを有する。インクカートリッジ装填部（１０４）の上面には、操作キーや表示器などの操作部（１０５）が配置されている。インクカートリッジ装填部（１０４）は、インクカートリッジ（２０１）の脱着を行うための開閉可能な前カバー（１１５）を有している。（１１１）は上カバー、（１１２）は装置の前面である。
装置本体（１０１）内には、図２及び図３に示すように、左右の側板（不図示）に横架したガイド部材であるガイドロッド（１３１）とステー（１３２）とでキャリッジ（１３３）を主走査方向に摺動自在に保持し、主走査モータ（不図示）によって図３に示す矢示方向に移動走査する。
キャリッジ（１３３）には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド（１３４）を複数のインク吐出口を主走査方向と交叉する方向に配列し、インク滴吐出方向を下方に向けて装着している。
【００１７】
記録ヘッド（１３４）を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものなどを使用できる。
また、キャリッジ（１３３）には、記録ヘッド（１３４）に各色のインクを供給するための各色のサブタンク（１３５）を搭載している。サブタンク（１３５）には、インク供給チューブ（不図示）を介して、インクカートリッジ装填部（１０４）に装填された本発明のインクカートリッジ（２０１）からインクが供給されて補充される。
【００１８】
一方、給紙トレイ（１０３）の用紙載置部（圧板）（１４１）上に積載した用紙（１４２）を給紙するための給紙部として、用紙載置部（１４１）から用紙（１４２）を１枚づつ分離給送する給紙コロ（半月コロ）（１４３）、及び給紙コロ（１４３）に対向し、摩擦係数の大きな材質からなる分離パッド（１４４）を備え、この分離パッド（１４４）は給紙コロ（１４３）側に付勢されている。
この給紙部から給紙された用紙（１４２）を記録ヘッド（１３４）の下方側で搬送するための搬送部として、用紙（１４２）を静電吸着して搬送するための搬送ベルト（１５１）と、給紙部からガイド（１４５）を介して送られる用紙（１４２）を搬送ベルト（１５１）との間で挟んで搬送するためのカウンタローラ（１５２）と、略鉛直上方に送られる用紙（１４２）を略９０°方向転換させて搬送ベルト（１５１）上に倣わせるための搬送ガイド（１５３）と、押さえ部材（１５４）で搬送ベルト（１５１）側に付勢された先端加圧コロ（１５５）とが備えられ、また、搬送ベルト（１５１）表面を帯電させるための帯電手段である帯電ローラ（１５６）が備えられている。
【００１９】
搬送ベルト（１５１）は、無端状ベルトであり、搬送ローラ（１５７）とテンションローラ（１５８）との間に張架されて、ベルト搬送方向に周回可能である。この搬送ベルト（１５１）は、例えば、抵抗制御を行っていない厚さ４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト（１５１）の裏側には、記録ヘッド（１３４）による印写領域に対応してガイド部材（１６１）が配置されている。なお、記録ヘッド（１３４）で記録された用紙（１４２）を排紙するための排紙部として、搬送ベルト（１５１）から用紙（１４２）を分離するための分離爪（１７１）と、排紙ローラ（１７２）及び排紙コロ（１７３）とが備えられており、排紙ローラ（１７２）の下方に排紙トレイ（１０３）が配されている。
装置本体（１０１）の背面部には、両面給紙ユニット（１８１）が着脱自在に装着されている。両面給紙ユニット（１８１）は、搬送ベルト（１５１）の逆方向回転で戻される用紙（１４２）を取り込んで反転させて、再度、カウンタローラ（１５２）と搬送ベルト（１５１）との間に給紙する。なお、両面給紙ユニット（１８１）の上面には手差し給紙部（１８２）が設けられている。
【００２０】
このインクジェット記録装置においては、給紙部から用紙（１４２）が１枚ずつ分離給紙され、略鉛直上方に給紙された用紙（１４２）は、ガイド（１４５）で案内され、搬送ベルト（１５１）とカウンタローラ（１５２）との間に挟まれて搬送される。更に先端を搬送ガイド（１５３）で案内されて先端加圧コロ（１５５）で搬送ベルト（１５１）に押し付けられ、略９０°搬送方向を転換される。
このとき、帯電ローラ（１５６）によって搬送ベルト（１５７）が帯電されており、用紙（１４２）は、搬送ベルト（１５１）に静電吸着されて搬送される。そこで、キャリッジ（１３３）を移動させながら画像信号に応じて記録ヘッド（１３４）を駆動することにより、停止している用紙（１４２）にインク滴を吐出して１行分を記録し、用紙（１４２）を所定量搬送後、次行の記録を行う。記録終了信号又は用紙（１４２）の後端が記録領域に到達した信号を受けることにより、記録動作を終了して、用紙（１４２）を排紙トレイ（１０３）に排紙する。
そして、サブタンク（１３５）内のインクの残量ニアーエンドが検知されると、インクカートリッジ（２０１）から所要量のインクがサブタンク（１３５）に補給される。
【００２１】
このインクジェット記録装置においては、インクカートリッジ（不図示）中のインクを使い切ったときには、インクカートリッジにおける筐体を分解して内部のインク袋だけを交換することができる。また、インクカートリッジは、縦置きで前面装填構成としても、安定したインクの供給を行うことができる。したがって、装置本体（１０１）の上方が塞がって設置されているような場合、例えば、ラック内に収納したり、あるいは装置本体（１０１）の上面に物が置かれているような場合でも、インクカートリッジの交換を容易に行うことができる。
なお、ここでは、キャリッジが走査するシリアル型（シャトル型）インクジェット記録装置に適用した例で説明したが、ライン型ヘッドを備えたライン型インクジェット記録装置にも同様に適用することができる。
また、上記インクジェット記録装置及びインクジェット記録方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【００２２】
次に、インクジェットヘッドについて説明する。
図４は、インクジェットヘッドの一例の要部拡大図、図５は、同ヘッドのチャンネル間方向の要部拡大断面図である。
このインクジェットヘッドは、インク供給口（不図示）と共通液室（１ｂ）となる彫り込みを形成したフレーム（１０）と、流体抵抗部（２ａ）、加圧液室（２ｂ）となる彫り込みと、ノズル（３ａ）に連通する連通口（２ｃ）を形成した流路板（２０）と、ノズル（３ａ）を形成するノズルプレート（３０）と、凸部（６ａ）、ダイヤフラム部（６ｂ）及びインク流入口（６ｃ）を有する振動板（６０）と、該振動板（６０）に接着層（７０）を介して接合された積層圧電素子（５０）と、該積層圧電素子（５０）を固定しているベース（４０）を備えている。
ベース（４０）はチタン酸バリウム系セラミックからなり、積層圧電素子（５０）を２列配置して接合している。
積層圧電素子（５０）は、厚さ１０〜５０μｍ／１層のチタン酸ジルコン酸鉛（ＰＺＴ）の圧電層と、厚さ数μｍ／１層の銀・パラジウム（ＡｇＰｄ）からなる内部電極層とを交互に積層している。内部電極層は両端で外部電極に接続する。
【００２３】
積層圧電素子（５０）はハーフカットのダイシング加工により櫛歯上に分割され、１つ毎に駆動部（５ｆ）と支持部（５ｇ）（非駆動部）として使用する。外部電極の外側はハーフカットのダイシング加工で分割されるように、切り欠き等の加工により長さを制限しており、これらは複数の個別電極となる。他方はダイシングでは分割されずに導通しており共通電極となる。
駆動部の個別電極にはＦＰＣ８が半田接合されている。また、共通電極は積層圧電素子の（５０）の端部に電極層を設けて回し込んでＦＰＣ８のＧｎｄ電極に接合させている。ＦＰＣ８にはドライバＩＣ（不図示）が実装されており、これにより駆動部（５ｆ）への駆動電圧印加を制御している。
振動板（６０）は、薄膜のダイヤフラム部（６ｂ）と、このダイヤフラム部（６ｂ）の中央部に形成した駆動部（５ｆ）となる積層圧電素子（５０）と接合する島状凸部（アイランド部）（６ａ）と、支持部に接合する梁を含む厚膜部と、インク流入口（６ｃ）となる開口を電鋳工法によるＮｉメッキ膜を２層重ねて形成している。ダイヤフラム部の厚さは３μｍ、幅は３５μｍ（片側）である。
この振動板（６０）の島状凸部（６ａ）と積層圧電素子（５０）の可動部（５ｆ）、振動板（５０）とフレーム（１０）の結合は、ギャップ材を含んだ接着層（７０）をパターニングして接着している。
流路板（２０）はシリコン単結晶基板からなり、流体抵抗部（２ａ）、加圧液室（２ｂ）となる彫り込み、及びノズル（３ａ）に対する位置に連通口（２ｃ）となる貫通口がエッチング工法によりターニングされている。
エッチングで残された部分が加圧液室（２ｂ）の隔壁（２ｄ）となる。また、このヘッドではエッチング幅を狭くする部分を設けて、これを流体抵抗部（２ａ）としている。
【００２４】
ノズルプレート（３０）は、金属材料、例えば、電鋳工法によるＮｉメッキ膜等で形成したもので、インク滴を飛翔させるための微細な吐出口であるノズル（３ａ）を多数形成している。このノズル（３ａ）の内部形状（内側形状）は、ホーン形状（略円柱形状又は略円錘台形状でもよい。）に形成している。また、このノズル（３ａ）の径はインク滴出口側の直径で約２０〜３５μｍである。また、各列のノズルピッチは１５０ｄｐｉである。このノズルプレート（３０）のインク吐出面（ノズル表面側）又はノズル内壁に、撥インク性の表面処理を施した撥インク層（不図示）を設けている。
撥インク層としては、フッ素樹脂シリコーン樹脂などの樹脂層、フッ素系シランカップリング剤、Ｎｉ／ＰＴＦＥ共析膜などの金属／樹脂複合膜などが用いられるが、特にシリコーン樹脂、フッ素系シランカップリング剤の場合、本発明の効果が非常に顕著になる。
インク供給口と共通液室（１ｂ）となる彫り込みを形成するフレーム（１０）は樹脂成形で作製している。
【００２５】
このように構成したインクジェットヘッドにおいては、記録信号に応じて駆動部（５ｆ）に駆動波形（１０〜５０Ｖのパルス電圧）を印加することによって、駆動部（５ｆ）に積層方向の変位が生起し、振動板（６０）を介して加圧液室（２ｂ）が加圧されて圧力が上昇し、ノズル（３ａ）からインク滴が吐出される。
その後、インク滴吐出の終了に伴い、加圧液室（２ｂ）内のインク圧力が低減し、インクの流れの慣性と駆動パルスの放電過程によって加圧液室（２ｂ）内に負圧が発生してインク充填行程へ移行する。このとき、インクタンクから供給されたインクは共通液室（１ｂ）に流入し、共通液室（１ｂ）からインク流入口（６ｃ）を経て流体抵抗部（２ａ）を通り、加圧液室（２ｂ）内に充填される。
流体抵抗部（２ａ）は、吐出後の残留圧力振動の減衰に効果が有る反面、表面張力による最充填（リフィル）に対して抵抗になる。流体抵抗部を適宜に選択することで、残留圧力の減衰とリフィル時間のバランスが取れ、次のインク滴吐出動作に移行するまでの時間（駆動周期）を短くできる。
本発明の洗浄液兼充填液を用いて洗浄する際には、前記圧電素子のように圧電アクチュエータにより、吐出が起こらない程度の微駆動による振動を利用して洗浄効果をより高めることも可能であり、非常に洗浄効率が向上し有効な手段である。
上記インクジェットノズル板、インクジェットヘッドは、これらインクジェット記録装置（画像形成装置）への応用が効果的であるが、これに限らず、カラーフィルター、有機ＥＬ等の製造装置、その他各種パターニング装置にも応用可能である。
【００２６】
本発明の洗浄液兼充填液は容器に収容してカートリッジとし、インクジェット記録装置のメンテナンスの時などに用いることができる。その構成はインクカートリッジと同じでよく、インクの代りに洗浄液兼充填液を充填すればよい。また、図１に示すインクジェット記録装置の場合には、インクカートリッジ（２０１）に代えて本発明のカートリッジを用いればよい。
【００２７】
次に、インクジェット用インクについて説明する。
インクの構成成分としては、色材、湿潤剤、水溶性有機溶剤、界面活性剤、その他の添加剤（ｐＨ調整剤、防腐防黴剤、防錆剤、水溶性紫外線吸収剤、水溶性赤外線吸収剤等）、樹脂等が挙げられる。インクが乾燥した際に、特に色材、樹脂などの固形分がノズル内に固着残留物として残り、それらが曲がりなどの吐出不良の原因となる。色材として顔料を用いた場合や樹脂として樹脂エマルジョンを用いた場合は、これらが溶媒に溶解せずに分散しているため固着残留物となり易く、本発明は有効である。顔料の場合は再分散性のあるものもあるが、樹脂エマルジョンは一度固着してしまうと、新たに吐出液体に接触しても再分散しないこと、また定着性付与のための添加であることが多く、接着機能があることから、ノズル内壁などに固着してしまうと完全に除去するのは非常に困難であったが、本発明ではそれが可能となった。
【００２８】
色材としては、公知の顔料や染料を適宜使用することができる。
無機顔料としては、酸化チタン、酸化鉄、炭酸カルシウム、硫酸バリウム、水酸化アルミニウム、バリウムイエロー、カドミウムレッド、クロムイエロー、及びコンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。これらの中でも、溶媒と親和性の良いものが好ましい。
上記の他に、顔料（例えばカーボン）の表面にスルホン基やカルボキシル基等の官能基を付加し水中に分散可能とした自己分散顔料等も使用できる。また、顔料をマイクロカプセルに包含させ、該顔料を水中に分散可能なものとしたものであっても良い。
【００２９】
インク中の色材としての顔料の添加量は、０．５〜２５質量％程度が好ましく、より好ましくは２〜１５質量％程度である。一般に顔料濃度が高くなると画像濃度が上がり画質が向上するが、定着性や吐出安定性、目詰まり等の信頼性に対しては悪影響が出易くなる。
顔料の粒径については特に制限は無いが、最大個数換算で最大頻度が２０〜１５０ｎｍの粒径の顔料インクが好ましい。粒径が１５０ｎｍを超えると、インクとしての顔料分散安定性が悪くなるばかりでなく、吐出安定性も劣化し、画像濃度などの画像品質も低くなり好ましくない。粒径が２０ｎｍ未満では、インクの保存安定性、プリンタでの噴射特性は安定するが、そのように細かな粒径にまで分散させるには、分散操作や、分級操作が複雑となり、経済的に記録液を製造することが困難となる。
分散剤を用いて顔料を分散する場合には、公知の分散剤を適宜使用することができる。たとえば、高分子分散剤、水溶性界面活性剤などが挙げられる。
【００３０】
樹脂は、画像定着性の向上、画質の向上、顔料分散性の向上等の目的で必要に応じて添加する。
その例としては、親水性高分子として、天然系ではアラビアガム、トラガンガム、グーアガム、カラヤガム、ローカストビーンガム、アラビノガラクトン、ペクチン、クインスシードデンプン等の植物性高分子；アルギン酸、カラギーナン、寒天等の海藻系高分子；ゼラチン、カゼイン、アルブミン、コラーゲン等の動物系高分子；キサンテンガム、デキストラン等の微生物系高分子、半合成系ではメチルセルロース、エチルセルロース、ヒドロキシエチルセルロース、ヒドロキシプロピルセルロース、カルボキシメチルセルロース等の繊維素系高分子；デンプングリコール酸ナトリウム、デンプンリン酸エステルナトリウム等のデンプン系高分子；アルギン酸ナトリウム、アルギン酸ブロピレングリコールエステル等の海藻系高分子、純合成系ではポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体、アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等、及びこれらの塩が挙げられる。
これらの樹脂の添加量は、信頼性を考慮した上で適宜選択される。
【００３１】
また、最近は溶媒に溶けるタイプの樹脂ではなく、溶媒中で微粒子として分散したいわゆる樹脂エマルジョンが用いられることが多い。樹脂エマルジョンとは、樹脂微粒子を連続相としての溶媒中に分散したものであり、必要に応じて界面活性剤のような分散剤を含有させても良い。分散相成分としての樹脂微粒子の含有量（樹脂エマルジョン中の樹脂微粒子の含有量）は一般的には１０〜７０質量％程度であり、樹脂微粒子の粒径は特にインクジェット記録装置に使用することを考慮すると、平均粒径で１０〜１０００ｎｍが好ましく、さらに２０〜３００ｎｍが好ましいが、特に限定されるものではない。
分散相の樹脂微粒子成分としてはアクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコン系樹脂などが挙げられ、特にアクリルシリコン系樹脂が効果的であるが、特に限定されるものではなく、公知のものを用いた場合に信頼性を確保するためのものであり、市販の樹脂エマルジョンを用いることも可能である。
その具体例としては、マイクロジェルＥ−１００、Ｅ−２００２、Ｅ−５００２（スチレン−アクリル系樹脂エマルジョン  日本ペイント製）、ボンコート５４５４（スチレン−アクリル系樹脂エマルジョン  大日本インキ化学製）、ジョンクリル７７５（スチレン−アクリル系樹脂エマルジョン  ジョンソンポリマー製）、ＳＡＥ１０１４（スチレン−アクリル系樹脂エマルジョン  日本ゼオン製）、サイビノールＳＫ−２００（アクリル系樹脂エマルジョン  サイデン化学製）、プライマルＡＣ−２２、ＡＣ−６１（アクリル系樹脂エマルジョン  ローム・アンド・ハース製）、ナノクリルＳＢＣＸ−２８２１、３６８９（アクリル−シリコン系樹脂エマルジョン  東洋インキ製）、＃３０７０（メタクリル酸メチル重合体樹脂エマルジョン  御国色素製）などが挙げられる。
【００３２】
インク中の前記樹脂微粒子の含有量としては、一般的には０．１〜５０質量％、好ましくは０．５〜２０質量％、さらに好ましくは１〜１０質量％であるが、特に限定されるものではない。
その他の構成成分である、水溶性有機溶剤、界面活性剤、ｐＨ調整剤、防腐防黴剤などは前記洗浄液兼充填液の構成成分と同様であり、特に限定されるものではない。
上記インクは、前述の構成成分を媒体中に分散又は溶解し、さらに必要に応じて攪拌混合して作製する。分散はサンドミル、ホモジナイザー、ボールミル、ペイントシャイカー、超音波分散機等により行うことができ、攪拌混合は通常の攪拌羽を用いた攪拌機、マグネチックスターラー、高速の分散機等で行うことができる。
【実施例】
【００３３】
以下、インクジェット記録装置に適用した実施例、参考例及び比較例を示して、本発明をさらに具体的に説明するが、本発明は、これらの実施例により限定されるものではない。
【００３４】
実施例５〜１０、参考例１〜４、比較例１〜１０
表１、表２の各実施例、参考例及び比較例の欄に示すように材料を混合し、各洗浄液兼充填液を作製した。なお、表中の数値は質量％であり、純水は全体で１００質量％となるように加えた。
【００３５】
【表１】
0005957889.tif 000007
【００３６】
【表２】
0005957889.tif 000008
【００３７】
上記表１、表２中の製品名及び符号で示した材料の詳細は以下のとおりである。
・ゾニールＦＳ−３００（フッ素系界面活性剤）：ポリオキシエチレンパーフロロアルキルエーテル（ＤｕＰｏｎｔ社製、有効成分４０質量％）
・ＥＣＴＤ−６ＮＥＸ（界面活性剤）：ポリオキシエチレン（６）アルキルエーテル酢酸ナトリウム（日光ケミカルズ社製）
【表３】
0005957889.tif 000009
【００３８】
＜顔料インクの調製＞
−ポリマー溶液の調製−
機械式攪拌機、温度計、窒素ガス導入管、還流管及び滴下ロートを備えた１Ｌのフラスコ内を充分に窒素ガス置換した後、スチレン１１．２ｇ、アクリル酸２．８ｇ、ラウリルメタクリレート１２．０ｇ、ポリエチレングリコールメタクリレート４．０ｇ、スチレンマクロマー４．０ｇ及びメルカプトエタノール０．４ｇ、メチルエチルケトン４０．０ｇを混合し、６５℃に昇温した。
次にスチレン１００．８ｇ、アクリル酸２５．２ｇ、ラウリルメタクリレート１０８．０ｇ、ポリエチレングリコールメタクリレート３６．０ｇ、ヒドロキシエチルメタクリレート６０．０ｇ、スチレンマクロマー３６．０ｇ、メルカプトエタノール３．６ｇ、アゾビスメチルバレロニトリル２．４ｇ及びメチルエチルケトン３４２．０ｇの混合溶液を２．５時間かけて、フラスコ内に滴下した。
滴下後、アゾビスメチルバレロニトリル０．８ｇ及びメチルエチルケトン１８．０ｇの混合溶液を０．５時間かけてフラスコ内に滴下した。６５℃で１時間熟成した後、アゾビスメチルバレロニトリル０．８ｇを添加し、更に１時間熟成した。
反応終了後、濃度が５０質量％のポリマー溶液８００ｇを得た。
【００３９】
−イエロー顔料含有ポリマー微粒子水分散体の調製−
前記ポリマー溶液２８ｇとＣ．Ｉ．ピグメントイエロー７４を２６ｇ、１ｍｏｌ／Ｌの水酸化カリウム水溶液１３．６ｇ、メチルエチルケトン２０．０ｇ及びイオン交換水１３．６ｇを十分に攪拌した後、ロールミルを用いて混練した。
得られたペーストを純水２００ｇに投入し、充分に攪拌した後、エバポレータを用いてメチルエチルケトン及び水を留去し、顔料を１５質量％含有する、固形分２０質量％のイエロー顔料含有ポリマー微粒子の水分散体を得た。
【００４０】
−イエロー顔料インクの調製−
以下の手順でイエロー顔料インクを調製した。
まず、１，３−ブタンジオール１５質量％、グリセリン１５質量％、ＯＭＮＯＶＡ社製ポリフォックスＰＦ−１５１Ｎ  １質量％、オクタンジオール２質量％を混合し、１時間攪拌して均一に混合した。この混合液に対して前記イエロー顔料含有ポリマー微粒子水分散体４０質量％を添加し、合計１００質量％となるように残量の水を添加し、１時間撹拌した。その後、０．８μｍセルロースアセテートメンブランフィルターを用いて加圧濾過し、粗大粒子を除去して評価用のイエローインクとした。
【００４１】
−マゼンタ顔料含有ポリマー微粒子水分散体の調製−
前記ポリマー溶液１７．５ｇとＣ．Ｉ．ピグメントレッド１２２を３２．５ｇ、１ｍｏｌ／Ｌの水酸化カリウム水溶液８．５ｇ、メチルエチルケトン１３．０ｇ及びイオン交換水１３．６ｇを十分に攪拌した後、ロールミルを用いて混練した。
得られたペーストを純水２００ｇに投入し、充分に攪拌した後、エバポレータを用いてメチルエチルケトン及び水を留去し、顔料を１５質量％含有する、固形分２０質量％のマゼンタ顔料含有ポリマー微粒子の水分散体を得た。
【００４２】
−マゼンタ顔料インクの調製−
以下の手順でマゼンタ顔料インクを調製した。
まず、３−メチル−１，３−ブタンジオール１５質量％、グリセリン１５質量％、ＤｕＰｏｎｔ社製ゾニールＦＳＯ−１００  ０．５質量％、１，２−ヘキサンジオール１質量％を混合し、１時間攪拌して均一に混合した。この混合液に対して前記マゼンタ顔料含有ポリマー微粒子水分散体４０質量％を添加し、合計１００質量％となるように残量の水を添加し、１時間撹拌した。その後、０．８μｍセルロースアセテートメンブランフィルターを用いて加圧濾過し、粗大粒子を除去して評価用のマゼンタインクとした。
【００４３】
上記した各洗浄液兼充填液及び評価用インクを用いて、以下のようにして、各種特性を評価した。結果を纏めて表４、表５に示す。
【００４４】
＜液としての均一性＞
各洗浄液兼充填液を１時間静置し、静置後の液の状態を目視で観察して次の基準で評価した。
○：分離や不溶解物がなく均一な状態
×：成分の一部が分離しているか、又は不溶解物があり、不均一な状態
【００４５】
＜洗浄液兼充填液とインクの混合性評価＞
洗浄液兼充填液９７質量％、インク３質量％の混合液を作製し、６５℃で５０時間放置した後、外観変化を次の基準で評価した。
○：分離の有無が判らない
△：濃淡が見られる
×：分離が起こっている
【００４６】
＜洗浄液兼充填液の洗浄性評価＞
・初期状態の設定
インクジェットプリンター（ＩＰＳＩＯ  ＧＸ３０００、リコー社製）のインク供給経路やヘッド内のインクを純水で置換し、その後、ブラック、シアンインクの代わりに前記評価用のマゼンタインクを充填したカートリッジを、マゼンタ、イエローインクの代わりに前記評価用のイエローインクを充填したカートリッジを取り付け、充填動作後にヘッドリフレッシング動作を１０回繰り返し、インク供給経路やヘッド内のインクを評価用インクに置き換えた。その後、ノズルチェックパターンを印字し、ノズル抜けが無くなるまでヘッドリフレッシング動作を行った。
・洗浄処理
インクジェットプリンターのノズル抜けが無いことを確認した後、洗浄液兼充填液を充填したカートリッジを全カートリッジの代わりに取り付け、ヘッドリフレッシング動作を６回実施した。その後、プリンターの維持ユニットを動作させ、各ヘッドから４．５ｃｃだけ吸引し再び充填する動作を３回繰り返した。再度充填後、各ヘッドから２ｃｃ吸引し、ノズル面をワイピングすることによりインクジェット記録装置内の経路の洗浄を行った。
・洗浄性の評価
最後の吸引洗浄液兼充填液を回収し、マゼンタインクで５６３ｎｍ、イエローインクで４２１ｎｍでの吸光度測定を行い、インクの同波長の吸光度との比較により、回収した洗浄液兼充填液中のインク着色微粒子の濃度（質量％）を算出した。
【００４７】
＜インク充填性評価＞
インクジェットプリンター（ＩＰＳＩＯ  ＧＸ３０００、リコー社製）を用い、洗浄液兼充填液でインクジェットプリンターのインク流路を洗浄した後、同じ洗浄液兼充填液を充填し、ノズル面に保湿キャップをして５０℃、６０％ＲＨ環境下で１ヶ月間放置した。その後、前述した評価用のイエローインク、マゼンタインクを充填したインクカートリッジを取り付け、インク充填動作を実施した。次いで、ノズルチェックパターンを印字し、インク充填動作後にヘッドリフレッシング動作を繰り返し、ノズルチェックを行って吐出不良（ノズルの不吐出や吐出曲がり＝画像に対する白筋や黒筋が目立つ状態）が無くなるまでのヘッドリフレッシング回数により次の基準でインク充填性を評価した（最大８回まで）。
◎：ヘッドリフレッシングなし
○：ヘッドリフレッシング１回以上２回以下
△：ヘッドリフレッシング３回以上４回以下
×：ヘッドリフレッシング５回以上必要、もしくは回復不能
【００４８】
【表４】
0005957889.tif 000010
【００４９】
【表５】
0005957889.tif 000011
【００５０】
上記表４、表５の結果から判るように、実施例５〜１０は構造式（１）のアミド化合物及び構造式（２）−１のフッ素系界面活性剤を適量含有するので、インクとの混合性・洗浄性・インク充填性のいずれも良好であり、特に参考例１〜４に比べて洗浄性が優れている。
一方、アミド化合物とフッ素系界面活性剤の少なくとも一方を欠く場合、及び、アミド化合物の含有量が適量でない場合には、インクとの混合性・洗浄性・インク充填性の少なくとも一つが悪いか不十分である。
【００５１】
実施例１１〜１７、比較例１１〜１３
表６、表７の各実施例及び比較例の欄に示すように材料を混合し、各洗浄液兼充填液を作製した。なお、表中の数値は質量％であり、純水は全体で１００質量％となるように加えた。
【００５２】
【表６】
0005957889.tif 000012
【００５３】
【表７】
0005957889.tif 000013
【００５４】
上記表６、表７中の符号で示した材料の詳細は下記表８に示すとおりである。
【表８】
0005957889.tif 000014
【００５５】
上記した各洗浄液兼充填液及び実施例５〜１０で作製した評価用インクを用い、実施例５〜１０の場合と同様にして、各種特性を評価した。結果を纏めて表９、表１０に示す。
【００５６】
【表９】
0005957889.tif 000015
【００５７】
【表１０】
0005957889.tif 000016
【００５８】
上記表９、表１０の結果から分かるように、実施例１１〜１７は構造式（１）のアミド化合物を適量含有するので、インクとの混合性・洗浄性・インク充填性のいずれも良好であり、構造式（２）−２のフッ素系界面活性剤を適量含有するので、参考例１〜４に比べて洗浄性が優れている。
一方、比較例１１は、アミド化合物を含まないためインクとの混合性が不十分でインク充填性が悪く、比較例１２、１３は、アミド化合物の含有量が適量でないため、洗浄性、インク充填性又はインクとの混合性が不十分である。
【００５９】
実施例１８〜２５、参考例２６、比較例１４〜１６
表１１、表１２の各実施例、参考例及び比較例の欄に示すように材料を混合し、各洗浄液兼充填液を作製した。なお、表中の数値は質量％であり、純水は全体で１００質量％となるように加えた。
【００６０】
【表１１】
0005957889.tif 000017
【００６１】
【表１２】
0005957889.tif 000018
【００６２】
上記表１１、表１２中の符号で示した材料の詳細は下記表１３に示すとおりである。
【表１３】
0005957889.tif 000019
【００６３】
上記した各洗浄液兼充填液及び実施例５〜１０で作製した評価用インクを用い、実施例５〜１０の場合と同様にして各種特性を評価した。結果を纏めて表１４、表１５に示す。
【００６４】
【表１４】
0005957889.tif 000020
【００６５】
【表１５】
0005957889.tif 000021
【００６６】
上記表１４、表１５の結果から分かるように、実施例１８〜２５は構造式（１）のアミド化合物を適量含有するので、インクとの混合性・洗浄性・インク充填性のいずれも良好であり、構造式（２）−３のフッ素系界面活性剤を適量含有するので、参考例１〜４に比べて洗浄性が優れている。
一方、比較例１４は、アミド化合物を含まないためインクとの混合性及びインク充填性が悪く、比較例１５、１６は、アミド化合物の含有量が適量でないため、インクとの混合性及び／又は洗浄性が不十分である。
【００６７】
実施例２７〜３１、比較例１７〜２０
表１６、表１７の各実施例及び比較例の欄に示すように材料を混合し、各洗浄液兼充填液を作製した。なお、表中の数値は質量％であり、純水は全体で１００質量％となるように加えた。
【００６８】
【表１６】
0005957889.tif 000022
【００６９】
【表１７】
0005957889.tif 000023
【００７０】
上記表１６、表１７中の符号で示した材料の詳細は以下のとおりである。
（ａ）Ｃ４Ｆ９−ＣＨ２ＣＨ（ＯＨ）ＣＨ２Ｏ−（ＣＨ２ＣＨ２Ｏ）２１−Ｃ１８Ｈ３７
（ｂ）Ｃ２Ｆ５−ＣＨ２ＣＨ（ＯＨ）ＣＨ２Ｏ−（ＣＨ２ＣＨ２Ｏ）２５−Ｃ１２Ｈ２５
（ｃ）Ｃ４Ｆ９−ＣＨ２ＣＨ（ＯＨ）ＣＨ２Ｏ−（ＣＨ２ＣＨ２Ｏ）２３−ＣＨ２ＣＨ（ＯＨ）ＣＨ２−Ｃ４Ｆ９
（ｄ）Ｃ４Ｆ９−ＣＨ２ＣＨ（ＯＨ）ＣＨ２Ｏ−（ＣＨ２ＣＨ２Ｏ）３５−ＣＨ２ＣＨ（ＯＨ）ＣＨ２−Ｃ４Ｆ９
（ｅ）Ｃ２Ｆ５−ＣＨ２ＣＨ（ＯＨ）ＣＨ２Ｏ−（ＣＨ２ＣＨ２Ｏ）４５−ＣＨ２ＣＨ（ＯＨ）ＣＨ２−Ｃ２Ｆ５
【００７１】
上記した各洗浄液兼充填液及び実施例５〜１０で作製した評価用インクを用い、実施例５〜１０の場合と同様にして各種特性を評価した。結果を纏めて表１８、表１９に示す。
【００７２】
【表１８】
0005957889.tif 000024
【００７３】
【表１９】
0005957889.tif 000025
【００７４】
上記表１８、表１９の結果から分かるように、実施例２７〜３１は構造式（１）のアミド化合物を適量含有するので、インクとの混合性・洗浄性・インク充填性のいずれも良好であり、構造式（２）−４のフッ素系界面活性剤を適量含有するので、参考例１〜４に比べて洗浄性が優れている。
一方、アミド化合物を含まない比較例１７〜１８はインク充填性が悪く、比較例１９〜２０は、アミド化合物の含有量が適量でないため、インクとの混合性・洗浄性・インク充填性の二つ以上が不十分である。
【００７５】
実施例３２〜５１、比較例２１〜２３
表２０−１、表２０−２、表２１の各実施例及び比較例の欄に示すように材料を混合し、各洗浄液兼充填液を作製した。なお、表中の数値は質量％であり、純水は全体で１００質量％となるように加えた。
【００７６】
【表２０−１】
0005957889.tif 000026
【表２０−２】
0005957889.tif 000027
【００７７】
【表２１】
0005957889.tif 000028
【００７８】
上記表２０−１、表２０−２、表２１中の符号で示した材料の詳細は以下のとおりである。
・Ａ１  ：構造式（２）−５のフッ素系界面活性剤（Ｋ塩）
・Ａ２  ：構造式（２）−５のフッ素系界面活性剤（Ｎａ塩）
・Ａ３  ：構造式（２）−５のフッ素系界面活性剤（Ｌｉ塩）
・Ａ４  ：構造式（２）−５のフッ素系界面活性剤（ＮＨ４塩）
・Ａ５  ：構造式（２）−６のフッ素系界面活性剤（Ｒｆ＝ＣＦ３、Ｋ塩）
・Ａ６  ：構造式（２）−６のフッ素系界面活性剤（Ｒｆ＝Ｃ４Ｆ９、Ｌｉ塩）
・Ａ７  ：構造式（２）−６のフッ素系界面活性剤（Ｒｆ＝Ｃ４Ｆ９、Ｎａ塩）
・Ａ８  ：構造式（２）−６のフッ素系界面活性剤（Ｒｆ＝Ｃ４Ｆ９、ＮＨ４塩）
・Ａ９  ：構造式（２）−７のフッ素系界面活性剤（Ｒｆ＝Ｃ４Ｆ９、Ｒ＝ＣＨ３、
Ｋ塩）
・Ａ１０：構造式（２）−７のフッ素系界面活性剤（Ｒｆ＝ＣＦ３、Ｒ＝Ｃ２Ｈ５、
Ｌｉ塩）
・Ａ１１：構造式（２）−７のフッ素系界面活性剤（Ｒｆ＝Ｃ４Ｆ９、Ｒ＝Ｃ４Ｈ９、
Ｎａ塩）
・Ａ１２：構造式（２）−７のフッ素系界面活性剤（Ｒｆ＝Ｃ４Ｆ９、Ｒ＝Ｃ８Ｈ１７、
ＮＨ４塩）
・Ａ１３：構造式（２）−８のフッ素系界面活性剤（Ｒｆ＝Ｃ４Ｆ９、Ｎａ塩）
・Ａ１４：構造式（２）−８のフッ素系界面活性剤（Ｒｆ＝Ｃ４Ｆ９、Ｋ塩）
【００７９】
上記した各洗浄液兼充填液及び実施例５〜１０で作製した評価用インクを用い、実施例５〜１０の場合と同様にして各種特性を評価した。結果を纏めて表２２−１、表２２−２、表２３に示す。
【００８０】
【表２２−１】
0005957889.tif 000029
【表２２−２】
0005957889.tif 000030
【００８１】
【表２３】
0005957889.tif 000031
【００８２】
上記表２２−１、表２２−２、表２３の結果から分かるように、実施例３２〜５１は構造式（１）のアミド化合物を適量含有するので、インクとの混合性・洗浄性・インク充填性のいずれも良好であり、構造式（２）−５〜（２）−８のフッ素系界面活性剤を適量含有するので、参考例１〜４に比べて洗浄性が優れている。
一方、アミド化合物を含まない比較例２１は、インクとの混合性及びインク充填性が悪く、比較例２２〜２３は、アミド化合物の含有量が適量でないため、インクとの混合性・洗浄性・インク充填性が不十分である。
【符号の説明】
【００８３】
１ｂ  共通液室
２ａ  流体抵抗部
２ｂ  加圧液室
２ｃ  連通口
２ｄ  隔壁
３ａ  ノズル
５ｆ  駆動部
５ｇ  支持部（非駆動部）
６ａ  凸部
６ｂ  ダイヤフラム部
６ｃ  インク流入口
１０  フレーム
２０  流路板
３０  ノズルプレート
４０  ベース
５０  積層圧電素子
６０  振動板
７０  接着層
１０１  装置本体
１０２  給紙トレイ
１０３  排紙トレイ
１０４  インクカートリッジ装填部
１０５  操作部
１１１  上カバー
１１２  前面
１１５  前カバー
１３１  ガイドロッド
１３２  ステー
１３３  キャリッジ
１３４  記録ヘッド
１３５  サブタンク
１４１  用紙載置部
１４２  用紙
１４３  給紙コロ
１４４  分離パッド
１４５  ガイド
１５１  搬送ベルト
１５２  カウンタローラ
１５３  搬送ガイド
１５４  押さえ部材
１５５  加圧コロ
１５６  帯電ローラ
１５７  搬送ローラ
１５８  デンションローラ
１６１  ガイド部材
１７１  分離爪
１７２  排紙ローラ
１７３  排紙コロ
１８１  両面給紙ユニット
１８２  手差し給紙部
２０１  インクカートリッジ
【先行技術文献】
【特許文献】
【００８４】
【特許文献１】特開２０００−１２７４１９号公報
【特許文献２】特開２００１−４９２９２号公報
【特許文献３】特許第４２９０４８６号公報
【図１】
0005957889.tif 000037
【図２】
0005957889.tif 000038
【図３】
0005957889.tif 000039
【図４】
0005957889.tif 000040
【図５】
0005957889.tif 000041